(57)【要約】【課題】メッセージの秘密保護を図るとともに、管理・使用の負担を軽減させる。【解決手段】本考案の一例のメッセージカード１は、第１の用紙部２１と、第１の用紙部２１のある辺７において接続されており、前記ある辺７において第１の用紙部２１側に折り返し可能であり、前記ある辺７と垂直な方向において第１の用紙部２１よりも長さが短い第２の用紙部２２と、第２の用紙部２２が第１の用紙部２１側に折り返された場合に、第２の用紙部２２の重なる第１の用紙部２１の領域に設けられたメッセージ記入部３と、第２の用紙部２２が第１の用紙部２１側に折り返された場合に、第１の用紙部２１と重なる第２の用紙部２２の領域に設けられた接着部４と、未使用時に接着部４を保護する保護シート５とを具備する。接着部４には、第１の用紙部２１と第２の用紙部２２とを一旦接着した後、引き剥がし可能な材質が用いられる。【選択図】      図１
0003126081.tif 000002
【実用新案登録請求の範囲】
【請求項１】
メッセージカードにおいて、
第１の用紙部と、
前記第１の用紙部のある辺において接続されており、前記ある辺において前記第１の用紙部側に折り返し可能であり、前記ある辺と垂直な方向において前記第１の用紙部よりも長さが短い第２の用紙部と、
前記第２の用紙部が前記第１の用紙部側に折り返された場合に、前記第２の用紙部の重なる前記第１の用紙部の領域に設けられたメッセージ記入部と、
前記第２の用紙部が前記第１の用紙部側に折り返された場合に、前記第１の用紙部と重なる前記第２の用紙部の領域に設けられており、前記第１の用紙部と前記第２の用紙部とを一旦接着した後、引き剥がし可能な材質よりなる接着部と、
未使用時に前記接着部を保護する保護シートと
を具備するメッセージカード。
【請求項２】
請求項１記載のメッセージカードにおいて、
前記第２の用紙部が前記第１の用紙部側に折り返された場合に、前記第１の用紙部における前記第２の用紙部と接しない側の面に、はがき用の印刷が施されており、
重量は２ｇ以上６ｇ以下であり、
前記第１の用紙部の第１の辺は１４ｃｍ〜１５．４ｃｍの間であり、
前記第１の用紙部における前記第１の辺と直角となる第２の辺は９ｃｍ〜１０．７ｃｍの間である
ことを特徴とするメッセージカード。
【考案の詳細な説明】
【技術分野】
【０００１】
本考案は、メッセージが記入されるメッセージカードに関する。
【背景技術】
【０００２】
はがきに記載された文章などの秘密を保護するために、はがきにシールを貼り、受領した者がシールを剥離して記載内容を見るシークレットはがきが、特許文献１（実開平７−７９６５号公報）に記載されている。
【特許文献１】実開平７−７９６５号公報
【考案の開示】
【考案が解決しようとする課題】
【０００３】
メッセージカードの記載者は、メッセージの通知相手を除く他の者に、メッセージカードに記載した内容を観察されることを望まない場合が多い。
【０００４】
しかしながら、メッセージカードと、このメッセージカードに記載された内容を隠すシールとを別構造とすると、使用するまでにメッセージカードとシールとをそれぞれ分離した形式で管理する必要がある。また、メッセージカードとシールとが別構造の場合には、メッセージカードへのシールの貼り付けがずれる場合があるなど、貼り付け作業が面倒な場合がある。
【０００５】
本考案は、以上のような実情に鑑みてなされたもので、メッセージカードを折り返し構造とし、重なり部の一方の面にメッセージ記入部を設け、重なり部の他方の面に接着部を設けることで、メッセージの秘密保護を図るとともに、管理・使用の負担を軽減させるためのメッセージカードを提供することを目的とする。
【課題を解決するための手段】
【０００６】
本考案の第１の態様に係るメッセージカードは、第１の用紙部と、第１の用紙部のある辺において接続されており、前記ある辺において第１の用紙部側に折り返し可能であり、前記ある辺と垂直な方向において第１の用紙部よりも長さが短い第２の用紙部と、第２の用紙部が第１の用紙部側に折り返された場合に、第２の用紙部の重なる第１の用紙部の領域に設けられたメッセージ記入部と、第２の用紙部が第１の用紙部側に折り返された場合に、第１の用紙部と重なる第２の用紙部の領域に設けられた接着部と、未使用時に接着部を保護する保護シートとを具備する。接着部には、第１の用紙部と第２の用紙部とを一旦接着した後、引き剥がし可能な材質が用いられる。
【０００７】
本考案の第２の態様に係るメッセージカードは、第１の態様において、第２の用紙部が第１の用紙部側に折り返された場合に、第１の用紙部における第２の用紙部と接しない側の面に、はがき用の印刷が施されており、重量は２ｇ以上６ｇ以下であり、第１の用紙部の第１の辺は１４ｃｍ〜１５．４ｃｍの間であり、第１の用紙部における第１の辺と直角となる第２の辺は９ｃｍ〜１０．７ｃｍの間であるとしている。
【考案の効果】
【０００８】
本考案により、メッセージの秘密保護を容易に実現するとともに、容易に使用でき、使用するまでの管理負担も軽減させることができる。
【考案を実施するための最良の形態】
【０００９】
以下、図面を参照しながら本考案の実施の形態について説明する。なお、以下の各図において同一の部分については同一の符号を付して説明を省略する。
【００１０】
（第１の実施の形態）
図１は、本実施の形態に係るメッセージカードの構成の一例を示す正面図である。
【００１１】
図２は、本実施の形態に係るメッセージカードのメッセージ記入後から接着までの変化の一例を示す斜視図である。
【００１２】
メッセージカード１は、第１の用紙部２１、第２の用紙部２２、メッセージ記入部３、接着部４、保護シート５、宛名記入部６を具備する。
【００１３】
第１の用紙部２１の正面側には、メッセージ記入部３と、宛名記入部６とが設けられている。
【００１４】
第１の用紙部２１と第２の用紙部２２とは、ある辺７において接続されている。第２の用紙部２２は、この辺７を軸として第１の用紙部２１側に移動可能である。
【００１５】
すなわち、メッセージカード１は、前記ある辺７を軸に、第１の用紙部２１と第２の用紙部２２とが相対的に接近し、折り返し可能な構造を持つ。
【００１６】
ある辺７と垂直な方向において、第１の用紙部２１の長さＬ１は、第２の用紙部２２の長さＬ２よりも長い。
【００１７】
第２の用紙部２２が第１の用紙部２１側に折り返された場合に、第２の用紙部２２が重なる第１の用紙部２１の領域には、メッセージ記入部３が設けられる。メッセージの記入者は、このメッセージ記入部３にメッセージを記入する。
【００１８】
第２の用紙部２２が第１の用紙部２１側に折り返された場合に、第１の用紙部２１と重なる第２の用紙部２２の領域には、接着部４が設けられる。
【００１９】
接着部４は、第１の用紙部２１と第２の用紙部２２とを一旦接着した後であっても、引き剥がし可能な材質で形成される。
【００２０】
保護シート５は、未使用時に接着部４を保護するシートである。メッセージ記入後、この保護シート５は接着部４から剥がされる。保護シート５が接着部４から剥がされた後に、メッセージカード１の折り返しが行われ、接着部４がメッセージ記入部３と重なることにより、メッセージ記入部３の記載内容は、第２の用紙部２２によって覆われ、剥離可能な状態で接着され、秘密が保持される。
【００２１】
宛名記入部６は、第１の用紙部２１におけるメッセージ記入部３と同一の面上に設けられている。また、宛名記入部６は、第２の用紙部２２が第１の用紙部２１側に折り返された場合に、第２の用紙部２２の重ならない領域に設けられている。この宛名記入部６には、メッセージ記入者がメッセージの宛名を記入する。
【００２２】
以上説明した本実施の形態においては、メッセージ記入部３にメッセージが記入され、保護シート５が接着部４から剥離され、第１の用紙部２１と第２の用紙部２２とが重ねられる。これにより、容易に、メッセージの秘密性を確保することができる。
【００２３】
本実施の形態に係るメッセージカード１においては、メッセージ記入部３とメッセージを隠す第２の用紙部２２とが分離していないため、メッセージカード本体とシールとを別々に管理し、貼り付ける必要がない。したがって、管理及び貼り付け作業を簡略化することができる。
【００２４】
本実施の形態に係るメッセージカード１においては、第１の用紙部２１の長さＬ１が、第２の用紙部２２の長さＬ２よりも長いため、メッセージを読む場合に、容易に第１の用紙部２１と第２の用紙部２２とを剥がすことができる。
【００２５】
本実施の形態については、上記の構成そのままに限定されるものではなく、実施段階ではその要旨を逸脱しない範囲で構成要素を変形して具体化できる。
【００２６】
宛名記入部６の位置は、自由に変更可能である。例えば、図３に示すように、第２の用紙部２２が第１の用紙部２１側に折り返された場合に、第２の用紙部２２における第１の用紙部２１と接しない側の面に、宛名記入部６が設けられるとしてもよい。また、例えば、宛名記入部６は、第２の用紙部２２が第１の用紙部２１側に折り返された場合に、第１の用紙部２１における第２の用紙部２２と接しない側の面に設けられるとしてもよい。
【００２７】
（第２の実施の形態）
本実施の形態においては、上記第１の実施の形態に係るメッセージカードの変形例であり、はがきとして利用可能なメッセージカードについて説明する。
【００２８】
図４は、本実施の形態に係るメッセージカードの構成の一例を示す図である。
【００２９】
本実施の形態に係るメッセージカード８は、第１の用紙部２１のレイアウト（デザイン）が第1の実施の形態に係るメッセージカード１と異なっているが、他の部分については同様である。
【００３０】
メッセージカード８において、第２の用紙部２２が第１の用紙部２１側に折り返された場合に、第１の用紙部２１において第２の用紙部２２と接しない側の面Ｐ１に、このメッセージカード８を定形はがきとして用いるための印刷が施されている。例えば、面Ｐ１には、切手の貼り付け位置指定９、郵便番号の記入部１０などが設けられる。
【００３１】
保護シート５を剥離した後のメッセージカード８の重量は、２ｇ以上、６ｇ以下とする。
【００３２】
メッセージカード８の第１の辺（例えば、長さ方向）は、１４ｃｍ〜１５．４ｃｍの間である。
【００３３】
メッセージカード８における第１の辺と直角となる第２の辺（例えば、幅方向）は、９ｃｍ〜１０．７ｃｍの間である。
【００３４】
なお、長さ方向と幅方向との長さの条件は、逆でもよい。
【００３５】
メッセージカード８の接着部４の剥離の強さは、輸送中にはがれないことを条件とする観点から、例えば１．８４ｋｇｆ／ｍ以上とする。
【００３６】
以上説明した本実施の形態に係るメッセージカード８は、定形はがきとして用いることができる。通常、はがきとはがきのメッセージ部に貼り付ける秘密保護用のシールとは分離している。しかしながら、本実施の形態に係るメッセージカード８においては、シールとして作用する第２の用紙部２２とメッセージ記入部３を持つ第１の用紙部２１とがある辺において連結している。本実施の形態に係るメッセージカード８においては、秘密の保持を容易に実現することができ、デザイン的にも優れており、効率的に保管・保存することができる。
【図面の簡単な説明】
【００３７】
【図１】本考案の第１の実施の形態に係るメッセージカードの構成の一例を示す正面図。
【図２】第１の実施の形態に係るメッセージカードのメッセージ記入後から接着までの変化の一例を示す斜視図。
【図３】宛名記入部の位置変更の一例を示す図。
【図４】本考案の第２の実施の形態に係るメッセージカードの構成の一例を示す図。
【符号の説明】
【００３８】
１，８…メッセージカード、２１…第１の用紙部、２２…第２の用紙部、３…メッセージ記入部、４…接着部、５…保護シート、６…宛名記入部、７…辺、９…切手の貼り付け位置指定、１０…郵便番号の記入部、Ｐ１…面
【図１】
0003126081.tif 000003
【図２】
0003126081.tif 000004
【図３】
0003126081.tif 000005
【図４】
0003126081.tif 000006